(57)【要約】  印刷機は少なくとも印刷シリンダ（４）、インキシリンダ（５）およびグリッパ（１７）を有するチエーングリッパ移送システム（２，３）を含む。印刷シリンダは平面的対象物（１）がチエーングリッパシステム（３）に保持されているときにインキシリンダ（５）が対象物（１）にインキを着けるようにチエーングリッパシステム（３）を受けるための少なくとも一つの横断ピット（７）を含む。
2007530324.tif 000002
【特許請求の範囲】
【請求項１】
有価証券、紙幣、小切手、ＩＤおよびパスポート等の継続シート(sheet)の書類を印刷する方法であって、継続シートを二つの平行チエーンに取り付けた継続グリッパを含むチエーングリッパシステムおよび印刷ユニットにより移送し、継続シートをチエーングリッパシステムにより保持しながら印刷ユニットで印刷し、かつチエーングリッパシステムがチエーン速度Ｖｃを有し、印刷シリンダが印刷シリンダ速度Ｖｐｃを有し、チエーン速度および印刷シリンダ速度の両速度が同期してグリッパが印刷シリンダの後縁で印刷シリンダピットに侵入し、スクリーンシリンダインキを印刷するシート上への添加を開始するときに前記両速度が相対的に変化して、グリッパが印刷シリンダの前縁へ到達する、印刷方法。
【請求項２】
印刷ユニットが印刷シリンダおよびシルクスクリーンシリンダを含み、前記印刷シリンダはチエーングリッパのグリッパを受けるために少なくともシリンダピットを含む、請求項１に記載の印刷方法。
【請求項３】
速度の相対的変化は印刷シリンダ速度Ｖｐｃの上昇を含む、請求項２に記載の印刷方法。
【請求項４】
印刷シリンダおよびインキシリンダの速度は印刷運転時にチエーン速度Ｖｃよりも僅かに高速である、請求項１から３のいずれか１に記載の印刷方法。
【請求項５】
インキシリンダを印刷シリンダから移動して印刷シリンダピットによるグリッパ受けを可能にし、かつインキシリンダを印刷ユニット印刷シリンダに向けて移動して印刷運転を可能にする、請求項２から４のいずれか１に記載の印刷方法。
【請求項６】
印刷運転時にシートを真空により印刷シリンダに対して維持する、請求項１から５のいずれか１に記載の印刷方法。
【請求項７】
請求項１から６のいずれか１方法を実行するための、シート(sheet)、有価証券、紙幣、小切手、ＩＤ、パスポート、その他類似書類等の平面対象物（１）用の印刷機であって、少なくとも印刷シリンダ（４）、インキシリンダ（５）およびグリッパ（１７）を有するチエーングリッパ移送システム（２，３，１４，１５，１６）を含み、印刷シリンダ（４）は、対象物（１）がチエーングリッパシステム（３）に保持されているときにインキシリンダ（５）が対象物（１）にインキを着けるようにチエーングリッパシステム（３）を受けるための少なくとも一つの横断ピット（７）を含み、印刷シリンダ（４）は印刷シリンダ（４）とチエーングリッパ移送システム（２，３，１４，１５，１６）の相対的速度を変化可能にするために独立モータ（６）により駆動される、印刷機。
【請求項８】
インキシリンダ（５）が移動手段により印刷シリンダ（４）に対して移動可能であって、印刷前にチエーングリッパシステム（３）のピット（７）への侵入を可能にする、請求項７に記載の印刷機。
【請求項９】
印刷シリンダ（４）へ真空を引くために吸引システム（１０，１８）を更に含む、請求項７または８に記載の印刷機。
【請求項１０】
少なくとも一つの乾燥ユニットを更に含む、請求項７から９のいずれか１に記載の印刷機。
【発明の詳細な説明】
【技術分野】
【０００１】
本発明は有価証券、紙幣、小切手、ＩＤおよびパスポート等の複数シート（sheet)からなる書類の印刷方法に関する。
【０００２】
本発明は更に本発明による印刷方法を実行するのに適した印刷機に関する。
【背景技術】
【０００３】
印刷方法および印刷機は、従来技術としてそれ自体既知である。例えば、ＵＳＰ４５７４６９６はウエブまたはシートの両側に同時多色印刷をするための回転印刷機を開示し、その内容はここに参考として引用される。この印刷機の利点は、一側にオフセット画像かつ他側に「オルロフ（Orlof) 」画像を一回の通過で印刷するために二つの全体的に異なる方法を同時に利用可能とする点であり、そのようにして二つの異なる方法により紙幣の両側へ顕著に異なる安全背景を印刷する可能性をユーザに第一回で提供する。このことは偽造に対する安全性を高めかつ加えてユーザが二つの分離機械を使用することを強制されないことから印刷運転を一層経済的にする。
【０００４】
他の印刷機は例えばＵＳＰ４６４０１８９から既知であり、その内容は本願に参考として引用される。この印刷機は、紙ウエブの両側に、色彩数に対応する数量の選択的インキシリンダによりインキを着けたコレクティング（collecting)シリンダによりインキを着けた印刷版により並置される多色画像、または色彩数またはデザイン数に対応する数量のオフセットシリンダをインキ着けする印刷版を有する、選択的色彩インキシリンダに代わる複数の印刷版シリンダにより重ね合わせた色彩およびデザインを有する画像、またはそれらの各々の画像を印刷することができる。この目的のために、この印刷機は、コレクティングシリンダとして、他のブランケットシリンダと接触するオフセットシリンダとして作用する、または一方がコレクティングシリンダとしてかつ他方がオフセットシリンダとして作用する第一対のブランケットシリンダを含む。ブランケットシリンダの各々は印刷版を担持するシリンダにインキを着けるように構成され、印刷版の画像は中間シリンダを介して第二対の他のブランケットシリンダから紙上へ転写される。いずれの場合にも、紙は第二対のブランケットシリンダ間を通過する。
【０００５】
他の印刷技術、所謂シルクスクリーン印刷は当分野で既知である。例えばＵＳＰ６１０９１７２は、一つの印刷シリンダを使用して異なる色彩による少なくとも二つの重合しない領域を印刷するために二つのステンシルシリンダと係合する印刷シリンダを有するシルクスクリーン印刷機を開示し、その内容は本願に参考として引用される。
【０００６】
ＤＥ１９７０３３１２は印刷中にシートをチエーングリッパシステムにより保持する印刷機を開示する。しかし、この明細書において印刷シリンダの回転速度は一定維持される。
【発明の開示】
【発明が解決しようとする課題】
【０００７】
本発明の発想は、実施に必要なスペースを縮小しかつ既知印刷システムよりも効率的で迅速な印刷システムを提案することにある。
【０００８】
従って、本発明の課題は、既知印刷方法および印刷機を改良することにある。
【０００９】
本発明の他の課題は、モジュラーユニットとして構築できる印刷機を提供することにある。
【００１０】
更に、本発明の他の課題は、既知印刷機方法および印刷機よりも高速な印刷方法および印刷機を提供することにある。
【課題を解決するための手段】
【００１１】
上記課題を達成するために、本発明は特許請求の範囲に記載の請求項の特徴を有する。
【発明を実施するための最良の形態】
【００１２】
本発明の最良の理解のために添付図面を参照して本発明の例示形態を次に説明する。
【００１３】
図１から４は、本発明によるチエーンコンベアにより運ばれるシートの印刷のための準備工程の連続工程を示す。
【００１４】
図５は本発明による印刷シリンダの上面図を示す。
【００１５】
図１に示されたように、印刷機の業界において周知のごとくシート１はチエーングリッパシステム３を有するチエーンコンベア２により搬送される。図１に概略的に示されたように、チエーンコンベア２は二つのシリンダ、印刷シリンダ４とスクリーンシリンダ５との間を通過する。両シリンダは印刷作業用として使用される。
【００１６】
スクリーン印刷法は、それ自体当分野で既知であり、例えばＵＳＰ６１０９１７２を説明の補完ために参照する。図示されたように、印刷シリンダは独立のモータ６により駆動し、モータ６は印刷シリンダの回転速度Ｖｐｃを変更することができる。印刷シリンダ４は、印刷シリンダ４の前縁９および後縁８を有する少なくとも一つのシリンダピット７を含み、このシリンダピットはチエーンコンベア２のチエーングリッパシステム３を受けることが意図されている。印刷シリンダ４は、更に、印刷作業時に真空によりシートを印刷シリンダ４上に維持する。吸引空気（真空）は、吸引空気を印刷されるシート１へ供給するために印刷シリンダ４のダクトに連結される少なくとも吸引ポンプ１０を有する真空システムにより生成される。
【００１７】
更に，スクリーンシリンダ５は、印刷運転以外のときには印刷シリンダ４から分離され、ドクターブレード１１は図示されたようにスクリーンの損傷を回避するために上昇する。
【００１８】
図２において、チエーングリッパシステム３のグリッパ１７は、印刷シリンダ４のピット７へ侵入する。グリッパ１７の前側と印刷シリンダ４の後縁８との衝突を回避するために、印刷シリンダの速度Ｖｐｃは、当分野でそれ自体既知の、モータ６に作用する手段を調節することにより調整され、グリッパの前側が印刷シリンダ４の後縁８と等位になるようにする。この作業時に、スクリーンシリンダ５とドクターブレード１１は、好適には、印刷シリンダ４から離れた位置に維持する、例えばチエーングリッパシステム３との衝突を回避するように上昇させる。
【００１９】
図３において、チエーングリッパシステム３は印刷シリンダ４のピット内にあり、印刷シリンダの速度Ｖｐｃは、チエーングリッパシステム３の後側が印刷シリンダ４の前縁９を追い越すようにするためにチエーングリッパシステムの速度Ｖｃに対して相対的に高速にする。これは、シート１上の最小白紙マージンで印刷作業を開始するために必要である。図３に示され段階で、ドクターブレード１１およびスクリーンシリンダは印刷作業を実行できる位置へ（即ち図３に示されたように下方へ）移動開始する。
【００２０】
図４は、印刷作業開始を示す。図示されたように、スクリーンシリンダ５は印刷シリンダ４と接触し、かつドクターブレード１１は、シート１上に印刷作業を実行するためにスクリーンシリンダ５に対して適用される。スクリーン印刷技術は印刷分野で既知である。全体的印刷工程中、シートはチエーンコンベア２のチエーングリッパシステム３により保持され、かつシートは、更に、印刷シリンダ４の表面へ真空を付与することにより印刷シリンダ４とスクリーンシリンダ５間の印刷ニップで印刷シリンダ４に対して維持される。ご方法は、当分野でそれ自体既知である。好適には，印刷速度、即ち印刷シリンダ４とスクリーンシリンダ５の回転速度は、チエーングリッパシステム３と印刷シリンダ４とスクリーンシリンダ５との間の速度差によりミスプリントの生産を回避してグリッパ１７とピット７の適正な相対的位置を維持するためにチエーンコンベア２の速度よりも僅かに高くする。
【００２１】
スクリーンシリンダ５およびドクターブレード１１の変位運動を実行するために、偏心システム、または空気作用手段、当分野で周知の種々の手段の使用が可能である。
【００２２】
印刷シリンダ４は、更に、チエーンコンベア２上の連続的チエーングリッパシステム３に対応するように、一つ以上のピット、例えば二つまたは三つ以上の，ピットを含んでよい。上述の原理は各連続シートの形態に適合可能であろう。
【００２３】
本発明による印刷シリンダは図５に上面図で示されている。印刷シリンダ４は長手を横切る方向の全長に沿ってピット（pit:窪み）を含み、かつベアリング１３により保持された軸１２により支持される。チエーンコンベア２は軸１２に垂直に走る二つの平行の走行チエーン１４，１５を含み、グリッパシステム１６を支持するチエーン１４，１５は、印刷シリンダ４の両側に位置決めされる。チエーングリッパシステム３は、チエーン１４，１５に取り付けられたチエーングリッパシステム３上に設置された幾つかのグリッパ１７を含み、かつグリッパ１７は印刷されるシート１を保持する。このような、チエーングリッパシステム３は印刷機用シート運搬装置の分野で既知である。
【００２４】
上述の印刷シリンダ４は、真空システムに連結される。真空システムは、図１に概略的に示されたように、ポンプ１０により連続的孔１８（図５参照）に連結されて、印刷作業時にシート１を印刷シリンダ４に対して付勢維持し、かつ印刷シリンダ４を駆動してシリンダ速度Ｖｐｃでのシート１の印刷を可能にする。
【００２５】
この真空システム、真空が印刷を実行する領域でのみ印刷されるシートに付与されるように同期する。従って、印刷シリンダの軸に平行の各列の孔は印刷シリンダ４の位置に依存して順次真空を受ける。
【００２６】
本発明による方法は、表裏シルクスクリーン印刷を実行するのに特に有利である。
【００２７】
印刷機の形態によって、印刷シートを乾燥するための乾燥ユニットを付加することが有益である。乾燥ユニットはＵＶ乾燥ユニットまたは他の同様のものが使用可能である。かかる乾燥ユニットは、シートの表裏印刷を行うのに特に有利である。
【図面の簡単な説明】
【００２８】
【図１】本発明によるチエーンコンベアにより運ばれるシートの印刷のための連続的準備工程の一工程を示す。
【図２】発明によるチエーンコンベアにより運ばれるシートの印刷のための連続的準備工程の一工程を示す。
【図３】本発明によるチエーンコンベアにより運ばれるシートの印刷のための連続的準備工程の一工程を示す。
【図４】本発明によるチエーンコンベアにより運ばれるシートの印刷のための連続的準備工程の一工程を示す。
【図５】本発明による印刷シリンダの上面図を示す。
【図１】
2007530324.tif 000003
【図２】
2007530324.tif 000004
【図３】
2007530324.tif 000005
【図４】
2007530324.tif 000006
【図５】
2007530324.tif 000007
【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
有価証券、紙幣、小切手、ＩＤおよびパスポート等の複数の継続シート(sheet)による書類を印刷する方法であって、
継続シートを二つの平行チエーンに取り付けた継続グリッパを含むチエーングリッパシステム、および少なくとも一つのシリンダピットを有する印刷ユニットにより移送し、
継続シートをチエーングリッパシステムにより保持しながら印刷ユニットで印刷し、かつチエーングリッパシステムがチエーン速度Ｖｃを有し、印刷シリンダが印刷シリンダ速度Ｖｐｃを有し、チエーン速度および印刷シリンダ速度の両速度が同期してグリッパが印刷シリンダの後縁で印刷シリンダピットに侵入し、
スクリーンシリンダを開始させて印刷するシート上へインキを添加するときに前記両速度を相対的に変化させてグリッパが印刷シリンダの前縁へ到達するようにする、印刷方法。
【請求項２】
印刷ユニットが印刷シリンダおよびシルクスクリーンシリンダを含む、請求項１に記載の印刷方法。
【請求項３】
速度の相対的変化は印刷シリンダ速度Ｖｐｃの上昇を含む、請求項２に記載の印刷方法。
【請求項４】
印刷シリンダおよびインキシリンダの速度は印刷作業時にチエーン速度Ｖｃよりも僅かに高速である、請求項１から３のいずれか１に記載の印刷方法。
【請求項５】
インキシリンダを印刷シリンダから移動して印刷シリンダピットによるグリッパ受けを可能にし、かつインキシリンダを印刷シリンダに向けて移動して印刷作業を可能にする、請求項２から４のいずれか１に記載の印刷方法。
【請求項６】
印刷作業時にシートを真空により印刷シリンダに対して維持する、請求項１から５のいずれか１に記載の印刷方法。
【請求項７】
請求項１から６のいずれか１の方法を実行するための、シート(sheet)、有価証券、紙幣、小切手、ＩＤ、パスポート、その他類似書類等の平面対象物（１）用の印刷機であって、
少なくとも印刷シリンダ（４）、インキシリンダ（５）およびグリッパ（１７）を有するチエーングリッパ移送システム（２，３，１４，１５，１６）を含み、
印刷シリンダ（４）は、対象物（１）がチエーングリッパシステム（３）に保持されているときにインキシリンダ（５）が対象物（１）にインキを着けるように、チエーングリッパシステム（３）を受けるための少なくとも一つの横断ピット（７）を含み、
印刷シリンダ（４）は独立モータ（６）により駆動され、かつ
印刷機は、更に、印刷シリンダ（４）とチエーングリッパ移送システム（２，３，１４，１５，１６）の相対的速度を変化可能にするために、独立モータ（６）上に作用する調節手段を含む、印刷機。
【請求項８】
インキシリンダ（５）が移動手段により印刷シリンダ（４）に対して移動可能であって、印刷前にチエーングリッパシステム（３）のピット（７）への侵入を可能にする、請求項７に記載の印刷機。
【請求項９】
印刷シリンダ（４）へ真空を引くために吸引システム（１０，１８）を更に含む、請求項７または８に記載の印刷機。
【請求項１０】
少なくとも一つの乾燥ユニットを更に含む、請求項７から９のいずれか１に記載の印刷機。
【国際調査報告】
2007530324.tif 000008
2007530324.tif 000009
2007530324.tif 000010